(57)【要約】【課題】防水性を高くすることができる屋根の棟部の構造を提供する。【解決手段】建物躯体３に複数本の山部１、１…を有する屋根材２をその山部１、１…が屋根勾配と平行となるように載設する。この屋根材２の棟側端部の上方に棟包４を設ける。隣接する山部１、１の間の谷部５に風雨の吹き込みを防止するために棟包４の下方の谷部５に遮蔽板６を配設する屋根の棟部の構造に関する。前記遮蔽板６として棟側遮蔽板７と軒側遮蔽板８とを屋根勾配と直交する方向に配設すると共に棟側遮蔽板７と軒側遮蔽板８とを屋根勾配と平行な方向に並設する。棟側遮蔽板７にその下端に開口する棟側排水口を形成すると共に棟側排水口と位置を違えて軒側遮蔽板８にその下端に開口する軒側排水口を形成する。棟側遮蔽板７及び軒側遮蔽板８の各下端面を谷部５の表面に当接する。【選択図】図１
2008050886.tif 000002
【特許請求の範囲】
【請求項１】
建物躯体に複数本の山部を有する屋根材をその山部が屋根勾配と平行となるように載設し、この屋根材の棟側端部の上方に棟包を設け、隣接する山部の間の谷部に風雨の吹き込みを防止するために棟包の下方の谷部に遮蔽板を配設する屋根の棟部の構造において、前記遮蔽板として棟側遮蔽板と軒側遮蔽板とを屋根勾配と直交する方向に配設すると共に棟側遮蔽板と軒側遮蔽板とを屋根勾配と平行な方向に並設し、棟側遮蔽板にその下端に開口する棟側排水口を形成すると共に棟側排水口と位置を違えて軒側遮蔽板にその下端に開口する軒側排水口を形成し、棟側遮蔽板及び軒側遮蔽板の各下端面を谷部の表面に当接して成ることを特徴とする屋根の棟部の構造。
【請求項２】
棟側遮蔽板と軒側遮蔽板とを一体に形成して成ることを特徴とする請求項１に記載の屋根の棟部の構造。
【発明の詳細な説明】
【技術分野】
【０００１】
本発明は、寄せ棟や片流れ棟などの屋根の棟部の構造に関するものである。
【背景技術】
【０００２】
従来より、雨水の吹き込みによる屋内への侵入を防止するために、各種の屋根の棟部の構造が提案されている（例えば、特許文献１参照）。
【０００３】
図６は断熱屋根パネル２０で形成した屋根の棟部の構造を示す。断熱屋根パネル２０は、図７に示すように、二枚の金属外皮である表面外皮２１と裏面外皮２２の間に断熱材２３を介在して形成されている。また、断熱屋根パネル２０の表面（上面）には複数本の山部１が突設されており、隣り合う山部１、１の間は平坦な谷部５として形成されている。このような断熱屋根パネル２０は、図８に示すように、その山部１の長手方向が屋根の傾斜方向と平行になるようにして母屋などの建物躯体３に載置した後、テクス（ドリルネジ）などの固定具２７により建物躯体３に固定するものであり、複数枚の断熱屋根パネル２０を固定することにより屋根を形成することができる。
【０００４】
図６に示すように、屋根の棟部では、左右に対向配置された断熱屋根パネル２０、２０の棟側端面の間にはウレタン製などのパッキン２８が介在している。また、左右に対向配置された断熱屋根パネル２０、２０の棟側端部の上面を覆うようにして棟包４が配設されている。そして、さらに、この棟部には防水性を高めるために、水返し部３０、溢止面戸３１、エプロン部材３２などが設けられている。
【０００５】
水返し部３０は、断熱屋根パネル２０の谷部５において、表面外皮２１の棟側端部を斜め上方に立ち上げるように屈曲して形成されている。溢止面戸３１は棟側に開口する断面略コ字状又は断面略ロ字状の部材で形成されるものであって、水返し部３０の軒側（屋根の傾斜方向において下側）において谷部５に配設されている。また、溢止面戸３１の上面及び山部１の上面と棟包４の下面との間にはシーリングテープ３３が充填されていると共に、図９、１０に示すように、溢止面戸３１の軒側において、溢止面戸３１の下端と谷部５の表面（上面）との隙間、溢止面戸３１の側端と山部１の側面との隙間及び山部１の上面と棟包４の下面との隙間をそれぞれ塞ぐようにしてシーリング材３４が充填されている。さらに、エプロン部材３２はシーリング材３４の軒側において谷部５に配設されている。エプロン部材３２は遮蔽板３２ａと遮蔽板３２ａの上端に設けた係止片３２ｂとから構成されており、係止片３２ｂの両端を山部１の上面に係止して固定するようにしている。谷部５に配設されたエプロン部材３２の遮蔽板３２ａの側端部は山部１の側面に当接しているが、遮蔽板３２ａの下端は谷部５の表面には当接せず、５ｍｍ程度の間隙５０が設けられている。この間隙５０は、エプロン部材３２と溢止面戸３１との間に雨水（矢印ア参照）が浸入した場合に排水するために設けられている。
【０００６】
しかし、上記の棟部の構造では、勢いのある雨滴５１が間隙５０を通って溢止面戸３１に達して当たることがあり（矢印イ参照）、この雨滴５１により防水性が低下する場合があった。つまり、溢止面戸３１の下端と谷部５の表面（上面）との隙間及び溢止面戸３１の側端と山部１の側面との隙間は、シーリング材３４で閉塞されているために上記雨滴５１の浸入はないが、溢止面戸３１の上面はシーリングテープ３３を挟んで棟包４で押さえられているだけであるので、ピンホールが発生する可能性が残っており、このピンホールに上記雨水が付着すると、屋内外の圧力差で屋内に雨滴５１が浸入し、防水性が低下する場合があった。
【特許文献１】実開平５−７３１２７号公報
【発明の開示】
【発明が解決しようとする課題】
【０００７】
本発明は上記の点に鑑みてなされたものであり、防水性を高くすることができる屋根の棟部の構造を提供することを目的とするものである。
【課題を解決するための手段】
【０００８】
本発明の請求項１に係る屋根の棟部の構造は、建物躯体３に複数本の山部１、１…を有する屋根材２をその山部１、１…が屋根勾配と平行となるように載設し、この屋根材２の棟側端部の上方に棟包４を設け、隣接する山部１、１の間の谷部５に風雨の吹き込みを防止するために棟包４の下方の谷部５に遮蔽板６を配設する屋根の棟部の構造において、前記遮蔽板６として棟側遮蔽板７と軒側遮蔽板８とを屋根勾配と直交する方向に配設すると共に棟側遮蔽板７と軒側遮蔽板８とを屋根勾配と平行な方向に並設し、棟側遮蔽板７にその下端に開口する棟側排水口９を形成すると共に棟側排水口９と位置を違えて軒側遮蔽板８にその下端に開口する軒側排水口１０を形成し、棟側遮蔽板７及び軒側遮蔽板８の各下端面を谷部５の表面に当接して成ることを特徴とするものである。
【０００９】
本発明の請求項２に係る発明は、請求項１に加えて、棟側遮蔽板７と軒側遮蔽板８とを一体に形成して成ることを特徴とするものである。
【発明の効果】
【００１０】
棟側排水口９と位置を違えて軒側遮蔽板８に軒側排水口１０を形成し、棟側排水口９及び軒側排水口１０の部分を除いて棟側遮蔽板７及び軒側遮蔽板８の各下端面を谷部５の表面に当接するので、勢いのある雨滴が棟側排水口９と軒側排水口１０の両方を通過することは難しく、且つ棟側遮蔽板７及び軒側遮蔽板８の各下端面と谷部５の表面との間を通過することも難しい。従って、勢いのある雨滴が棟側遮蔽板７の棟側に浸入することが殆どなく、たとえ浸入したとしても、その雨水は棟側排水口９と軒側排水口１０を通じて軒側遮蔽板８の軒側に排水することができ、防水性を高くすることができるものである。しかも、棟側遮蔽板７及び軒側遮蔽板８により防水性が高まるために、従来例のような水返し部３０が不要にすることができ、施工に手間がかからないようにすることができるものである。
【００１１】
また、棟側遮蔽板７と軒側遮蔽板８とを一体に形成することにより、棟側遮蔽板７と軒側遮蔽板８とを一度に配設することができ、施工に手間がかからないようにすることができるものである。
【発明を実施するための最良の形態】
【００１２】
以下、本発明を実施するための最良の形態を説明する。
【００１３】
本発明の屋根の棟部の構造は、図１に示すように、屋根材２、棟包４、溢止面戸３１、エプロン部材１１などを備えて形成されている。
【００１４】
屋根材２としては、従来と同様に、図７に示すような断熱屋根パネル２０を用いることができる。断熱屋根パネル２０は、二枚の金属外皮である表面外皮２１と裏面外皮２２の間に断熱材２３を充填して介在させることによりサンドイッチパネルとして形成されている。表面外皮２１と裏面外皮２２は金属板をロール成形や折り曲げ成形することにより所望形状に成形したものであり、金属板としては、０．３〜２．０ｍｍの厚みを有し、ステンレス鋼板、塗装鋼板、亜鉛めっき鋼板、アルミニウム−亜鉛合金めっき鋼板（商品名：ガルバリウム鋼板）などを用いることができるが、これに限定されるものではない。断熱材２３はグラスウールやロックウールなどの無機繊維材料あるいはウレタンフォームやフェノールフォームなどの樹脂発泡体などで形成することができ、表面外皮２１と裏面外皮２２の内面に接着されている。断熱屋根パネル２０の表面（上面）には複数本の山部１が突設されており、隣り合う山部１、１の間は平坦な谷部５として形成されている。尚、本発明では上記のような断熱屋根パネル２０だけでなく、断熱材２３を具備しない折版などの金属製屋根材を屋根材２として用いることができる。
【００１５】
棟包４は金属板を断面略く字状に折り曲げ加工して形成されるものであって、頂部４ａを挟んでその両側に覆い片４ｂ、４ｂを有して長尺に形成されている。棟包４の金属板は上記金属外皮を形成する金属板と同様のものを用いることができる。
【００１６】
溢止面戸３１は金属板を断面略ロ字状に折り曲げ加工して形成されるものであって、図２に示すように、一対の脚片３１ａ、３１ａと上片３１ｂと下片３１ｃとを有して形成されている。溢止面戸３１の幅寸法（屋根勾配（傾斜方向）と直交する方向の寸法）は隣り合う山部１、１の間隔（谷部５の幅寸法）と同等あるいは少しだけ小さく形成されている。また、溢止面戸３１の高さ寸法は谷部５の表面からの山部１の高さ寸法（谷部５の深さ寸法）とほぼ同等に形成されている。溢止面戸３１の金属板は上記金属外皮を形成する金属板と同様のものを用いることができる。
【００１７】
エプロン部材１１は、下面が開口する断面略コ字状に金属板を折り曲げ加工して形成されるものであって、図２に示すように、遮蔽板６として棟側遮蔽板７と軒側遮蔽板８とを有し、これらの上端が連結部１２で連結されて形成されている。連結部１２の両方の側端部は係止片１３として棟側遮蔽板７や軒側遮蔽板８の側端部よりも外側に突出している。棟側遮蔽板７には左右一対の棟側排水口９が形成されている。棟側排水口９は棟側遮蔽板７を厚み方向に貫通し、且つ棟側遮蔽板７の下端にも開口している。また、軒側遮蔽板８にはその略中央部に軒側排水口１０が形成されている。軒側排水口１０は軒側遮蔽板８を厚み方向に貫通し、且つ軒側遮蔽板８の下端にも開口している。棟側遮蔽板７と軒側遮蔽板８とは全体に亘って互いに対向して位置するものであるが、棟側排水口９と軒側排水口１０とは形成位置を違えて互いに対向しない位置に形成されている。従って、棟側排水口９と軒側排水口１０とは重ならない位置に形成されている。棟側遮蔽板７と軒側遮蔽板８の幅寸法（屋根勾配（傾斜方向）と直交する方向の寸法）は隣り合う山部１、１の間隔（谷部５の幅寸法）と同等あるいは少しだけ小さく形成されている。また、棟側遮蔽板７と軒側遮蔽板８の高さ寸法は谷部５の表面からの山部１の高さ寸法（谷部５の深さ寸法）とほぼ同等に形成されている。さらに、棟側遮蔽板７と軒側遮蔽板８の間隔は小さいほど好ましく、１５ｍｍ程度に形成することができるが、これに限定されるものではない。エプロン部材１１の金属板は上記金属外皮を形成する金属板と同様のものを用いることができる。
【００１８】
そして、本発明の屋根の棟部の構造は以下のようにして形成することができる。まず、母屋などの建物躯体３に複数枚の屋根材２、２…を載設する。各屋根材２はテクス（ドリルネジ）などの固定具２７により建物躯体３に固定することができる。また、屋根材２はその山部１、１…の長手方向が屋根勾配と平行になるようにして配設される。次に、棟部を挟んで左右に対向配置された屋根材２、２の棟側端面の間にウレタン製などのパッキン２８を介在する。次に、屋根材２の谷部５に溢止面戸３１を取り付ける。溢止面戸３１は屋根勾配と直交する方向（谷部５を幅方向に横切る方向）に長く配設し、その両方の側端部は山部１、１の側面に当接するようにしている。また、溢止面戸３１の下面は谷部５の表面（上面）に当接するようにしている。また、必要に応じて、溢止面戸３１の上面及び山部１の上面にシーリングテープを設けることができると共に、溢止面戸３１の軒側において、溢止面戸３１の下端と谷部５の表面（上面）との隙間、溢止面戸３１の側端と山部１の側面との隙間をそれぞれ塞ぐようにしてシーリング材を充填することができる。
【００１９】
次に、溢止面戸３１の軒側（屋根勾配における下側）において、谷部５にエプロン部材１１を取り付ける。エプロン部材１１は棟側遮蔽板７と軒側遮蔽板８とを屋根勾配の方向に並設し、屋根勾配と直交する方向（谷部５を幅方向に横切る方向）に長く棟側遮蔽板７と軒側遮蔽板８とを配設し、その両方の側端部は山部１、１の側面に当接するようにしている。また、棟側排水口９及び軒側排水口１０の部分を除いて棟側遮蔽板７及び軒側遮蔽板８の各下端面を谷部５の表面にそれぞれ当接するようにしており、これにより、棟側排水口９及び軒側排水口１０の部分を除いて棟側遮蔽板７及び軒側遮蔽板８の各下端面と谷部５の表面との間に隙間が形成されないようにしている。エプロン部材１１の取付にあたっては、係止片１３を山部１の上面に係止し、ビス等の固定具で固定するようにして行うことができる。
【００２０】
この後、棟部を跨ぐようにして棟包４を棟部の全長に亘って配設する。これにより、溢止面戸３１及びエプロン部材１１の上方を棟包４で覆うことができる。また、棟包４はビスなどの固定具で屋根材２に固定することができる。このようにして屋根の棟部を形成することができる。
【００２１】
本発明の屋根の棟部の構造では、棟側排水口９と軒側排水孔１０の形成位置を異ならせて互いに対向しない位置に屋根の傾斜方向（勾配方向）に貫通する棟側排水孔９と軒側排水口１０とを形成したので、勢いのある雨滴が棟側排水口９及び軒側排水口１０の両方を通過するのは困難である。すなわち、図２（ｂ）（ｃ）に示す矢印ウで示すように、棟部の方に向かう雨滴５１は、まず、軒側遮蔽板８で遮断することができ、軒側遮蔽板８の軒側排水口１０を通過した場合は、棟側遮蔽板７で遮断することができる。また、棟側排水口９及び軒側排水口１０の部分を除いて、エプロン部材１１の遮蔽板６である棟側遮蔽板７と軒側遮蔽板８との下端面を谷部５の表面に当接したので、棟側遮蔽板７及び軒側遮蔽板８の各下端面と谷部５の表面との間を通過することも困難である。従って、勢いのある雨滴が棟側遮蔽板７の棟側に浸入することが殆どないようにすることができ、防水性を高めることができる。しかも、たとえ、点線矢印オのように棟側遮蔽板７の棟側に雨滴が浸入したとしても、矢印エに示すように、その雨水は棟側排水口９と軒側排水口１０を通じて軒側遮蔽板８の軒側に排水することができ、防水性を高くすることができる。そして、従来では、溢止面戸３１を越えた雨滴５１が室内に落下しないようにするために水返し部３０を設けており、水返し部３０と溢止面戸３１との間に水が滞留できるプール状の部分を設けており、水返し部３０を施工現場で加工しなければならず、施工に手間がかかるという問題があったが、本発明では水返し部３０が不要となり、施工に手間がかからないようにすることができる。
【００２２】
図３に他の実施の形態を示す。この実施の形態は、屋根勾配と直交する方向に隣接する屋根材２、２の山部１、１に、下面が開口する断面略コ字状のカバー材４０を被せた屋根であるが、この場合、カバー材４０の側部４０ａの棟側端部は工場などで切除されており、これにより、溢止面戸３１やエプロン部材１１を取り付けた際に、溢止面戸３１やエプロン部材１１の側端部と山部１の側面との間にカバー材４０が介在することなく、溢止面戸３１やエプロン部材１１の側端部を山部１の側面に当接することができる。また、溢止面戸３１は棟側に開口する断面略コ字状の部材で形成されるものであって、その上面と棟包４との間にはシーリングテープ３３が充填されている。また、溢止面戸３１の下端と谷部５の表面（上面）との隙間、溢止面戸３１の側端と山部１の側面との隙間を塞ぐようにしてシーリング材３４が充填されている。その他の構成は上記実施の形態と同様である。尚、５２はエプロン部材１１を山部１に固定するためのビスなどの固定具、５３は溢止面戸３１を山部に固定するためのビスなどの固定具、５４は棟包４を山部１に固定するためのビスなどの固定具である。
【００２３】
図４に他の実施の形態を示す。この実施の形態では、屋根材２は上記と同様に断熱屋根パネル２０で形成されている。この断熱屋根パネル２０は上記と同様に、二枚の金属外皮である表面外皮２１と裏面外皮２２の間に断熱材２３を充填して介在させることによりサンドイッチパネルとして形成されている。また、断熱屋根パネル２０の一側端部にはパネル接続用の山部１ａが形成されており、他側端部には表面外皮２１を側方に延出してなる被覆片６０が突設されている。被覆片６０の突出先端部と突出基端部には凸状にされた係止部６１がそれぞれ設けられており、山部１の両側面部６３の突出基部に形成された凹部６２に上記係止部６１をそれぞれ係止させることで、左右（幅方向）に隣接する断熱屋根パネル２０、２０の間で被覆片６０が接続用の山部１ａを被覆した状態で取り付けられて、上記隣接する断熱屋根パネル２０、２０同士が連結されて接続されるようになっている。また、この断熱屋根パネル２０の左右中央部には、上記パネル接続用の山部１ａに被覆片６０を被着した外観と略同じ外観になるような化粧用の山部１ｂが形成されている。
【００２４】
この実施の形態においては、山部１ａに被覆片６０を被着した状態の山部１と化粧用の山部１ｂによる山部１とが形成され、その隣り合う山部１、１の間で屋根材２の谷部５が形成されている。そして、図４（ａ）〜（ｃ）に示すように、棟側遮蔽板７、軒側遮蔽板８、溢止面戸３１の下端部から側端部に至る形状は、谷部５から山部１に至る表面形状と同等である。また、棟側排水口９は棟側遮蔽板７の一方の側端部に設けられており、軒側排水口１０は棟側排水口９とは反対側の軒側遮蔽板８の側端部に設けられている。従って、棟側排水口９と軒側排水口１０とは対向していない。その他の構成は上記実施の形態と同様である。尚、図４においては棟包が図示省略されている。
【００２５】
上記実施の形態では、棟側遮蔽板７と軒側遮蔽板８と連結板１２で連設して一体的に形成したエプロン部材１１を用いているが、これに限らず、棟側遮蔽板７と軒側遮蔽板８とそれぞれ別体に形成してもよい。図５（ａ）に示す棟側遮蔽板７は上記と同様に金属板で形成され、その両方の側端部に厚み方向に貫通する棟側排水口９が形成されている。また、棟側遮蔽板７の上端には重ね片７ａが突設されている。この重ね片７ａは図５（ｂ）に示すように棟側遮蔽板７の前側（軒側）に略直角に折り曲げて使用するものである。また、図５（ｃ）に示す軒側遮蔽板８は上記と同様に金属板で形成され、その幅方向（長手方向）の中央部に厚み方向に貫通する軒側排水口１０が形成されている。また、軒側遮蔽板８の上端には重ね片８ａが突設されている。この重ね片８ａは図５（ｄ）に示すように軒側遮蔽板８の後側（棟側）に略直角に折り曲げて使用するものである。そして、図５（ｅ）に示すように、軒側遮蔽板８の重ね片８ａの上に棟側遮蔽板７の重ね片７ａを重ね合わせ、棟側遮蔽板７と軒側遮蔽板８とを対向配置すると共に上記と同様にして棟側遮蔽板７と軒側遮蔽板８とを谷部５に配設することによって、棟側遮蔽板７と軒側遮蔽板８からなるエプロン部材１１を屋根材２の谷部５に設けることができる。このように棟側遮蔽板７と軒側遮蔽板８とを別体に形成することにより、エプロン部材１１を容易に製造することができるものである。
【図面の簡単な説明】
【００２６】
【図１】本発明の実施の形態の一例を示す断面図である。
【図２】同上の一部を示し、（ａ）は斜視図、（ｂ）は平面図、（ｃ）は断面図である。
【図３】同上の他の実施の形態の一例を示す断面図である。
【図４】同上の他の実施の形態の一例を示し、（ａ）〜（ｃ）は断面図である。
【図５】同上の他のエプロン部材の一例を示し、（ａ）は棟側遮蔽板の正面図、（ｂ）は棟側遮蔽板の断面図、（ｃ）は軒側遮蔽板の正面図、（ｄ）は軒側遮蔽板の断面図、（ｅ）はエプロン部材の断面図である。
【図６】従来例を示す断面図である。
【図７】断熱屋根パネルの一例を示す断面図である。
【図８】断熱屋根パネルの施工状態の一例を示す斜視図である。
【図９】従来の棟部の施工途中を示す斜視図である。
【図１０】従来の棟部の一部を示し、（ａ）は斜視図、（ｂ）は平面図、（ｃ）は断面図である。
【符号の説明】
【００２７】
１  山部
２  屋根材
３  建物躯体
４  棟包
５  谷部
６  遮蔽板
７  棟側遮蔽板
８  軒側遮蔽板
９  棟側排水口
１０  軒側排水口
１１  エプロン部材
【図１】
2008050886.tif 000003
【図２】
2008050886.tif 000004
【図３】
2008050886.tif 000005
【図４】
2008050886.tif 000006
【図５】
2008050886.tif 000007
【図６】
2008050886.tif 000008
【図７】
2008050886.tif 000009
【図８】
2008050886.tif 000010
【図９】
2008050886.tif 000011
【図１０】
2008050886.tif 000012